(57)【要約】【課題】吸排気用の開口部を有するトッププレートを単一の構成体にて提供し、他の部材との複合構成による面倒な組立作業や継ぎ目などの汚れ易さを解消し、更には外観デザインにも優れたものとする。【解決手段】ケース本体２の上面に装着されトッププレート３を、強化耐熱ガラス若しくはセラミック製とするとともに、前記ケース本体２の内外を連通する吸排気用の開口部９ａ，９ｂを形成し、この開口部９ａ，９ｂには、その開口部周縁より上方に突出する高さの開口周壁２０ｂを有する通気口体２０を設けた構成とする。【選択図】図１
2007134070.tif 000002
【特許請求の範囲】
【請求項１】
矩形箱状のケース本体と、このケース本体の上面を覆うように装着され被加熱調理器具を載置するトッププレートと、前記トッププレートの下方に位置して前記被加熱調理器具を加熱する誘導加熱コイルと、この誘導加熱コイルを駆動する駆動手段と、この駆動手段を冷却する空冷手段とを備え、
前記トッププレートは、強化耐熱ガラス若しくはセラミック製とするとともに、前記ケース本体の内外を連通する開口部を形成し、
前記トッププレートの開口部には、前記空冷手段の通風路に連通した通気口体が装着され、該通気口体は前記開口部周縁より上方に突出する高さの開口周壁を備えた構成を特徴とする誘導加熱調理器。
【請求項２】
通気口体は、トッププレートの下面に接合される平板状の支持部材から突設され、この支持部材には、トッププレートの開口部を周回する凹溝を形成するとともに、該凹溝に接着剤を充填し前記トッププレートと前記支持部材とを接合したことを特徴とする請求項１記載の誘導加熱調理器。
【請求項３】
通気口体の上面に、該通気口体の開口周壁をガイドとして通気用のカバー部材を被着したことを特徴とする請求項１記載の誘導加熱調理器。
【請求項４】
通気口体は、弾性部材で形成するとともに、開口周壁に通気用のカバー部材を差し込み固定する溝部を有することを特徴とする請求項１記載の誘導加熱調理器。
【発明の詳細な説明】
【技術分野】
【０００１】
本発明は、トッププレートに空冷用の吸気或は排気するための開口部を備えた誘導加熱調理器に関する。
【背景技術】
【０００２】
この種の誘導加熱調理器では、箱状のケース本体内に加熱手段である誘導加熱コイルを設け、その上面を覆うように装着したトッププレート上に被加熱調理器具を載置して加熱する構成にある。しかるに、前記誘導加熱コイルを駆動する駆動手段として、発熱性のスイッチング素子からなるインバータ回路などにより構成しているため、前記誘導加熱コイルとともに駆動手段を冷却すべく冷却ファン等からなる空冷手段を備えている。しかるに、空冷手段により吸排気するための開口部は、通常はケース本体の上面に形成される。
【０００３】
ところが、従来ではケース本体の上面に装着された例えば耐熱ガラス製のトッププレートには、上記開口部は形成されておらず、その周縁部を別部材たる金属製のフレームにて構成している。すなわち、トッププレート（耐熱ガラス）への穴あけ加工等が難しいことから、別部材たる前記フレーム部分のうち後部にやや幅広とした部位を形成し、ここに吸気または排気のための開口部を設け、所謂トッププレートは複合構成としている（例えば、特許文献１，２参照）。
【特許文献１】特開２００４−８７２３５号公報（第３頁、及び図５参照）
【特許文献２】特開２００２−９３５５９号公報（第３，４頁、及び図３参照）
【発明の開示】
【発明が解決しようとする課題】
【０００４】
しかしながら、上記したようにフレームを設ける構成では、商品の外観やデザイン的に好ましくない上に、トッププレートとフレームとの接合部位に段差を生じ、更には隙間が生じ易い。従って、これら部位に吹き零れなどによる汚れが付着し或いは浸入し易く、一層外観を損ねることになり、且つ清掃するにも面倒であった。そして、トッププレートに対しフレームを別部材として組み立てる（接着）作業が面倒で、しかも金属製であるため端部をカール加工などして手指の安全性を確保するなどの成形加工を要し、組立工数やコスト的にも不利である。また、吹き零れなどの煮汁が開口部から内部に浸入しないように、例えばフレームの周囲を高くして開口部を設けねばならず、このフレームの凹凸形状は、やはり誘導加熱調理器の上面における外観やデザインを制約することとなり好ましくない。
【０００５】
本発明は上記問題点を解決するため、トッププレートを単一の構成体にて提供し、面倒な組立作業をなくし且つ汚れが付着し難くて外観デザインも良好とする誘導加熱調理器を提供することを目的とする。
【課題を解決するための手段】
【０００６】
上記目的を達成するために、本発明の誘導加熱調理器は、矩形箱状のケース本体と、このケース本体の上面を覆うように装着され被加熱調理器具を載置するトッププレートと、前記トッププレートの下方に位置して前記被加熱調理器具を加熱する誘導加熱コイルと、この誘導加熱コイルを駆動する駆動手段と、この駆動手段を冷却する空冷手段とを備え、
前記トッププレートは、強化耐熱ガラス若しくはセラミック製とするとともに、前記ケース本体の内外を連通する開口部を形成し、前記トッププレートの開口部には、前記空冷手段の通風路に連通した通気口体が装着され、該通気口体は前記開口部周縁より上方に突出する高さの開口周壁を備えた構成を特徴とするものである。
【発明の効果】
【０００７】
上記手段によれば、通気口体により吹き零れ汁などの浸入を阻止できるので、吸気または排気のための開口部をトッププレートと容易に一体に形成できて、ケース本体の上面はトッププレートの単一体にて構成できる。従って、他の部材との接合部分や組合せ部分をなくすことができ、延いては隙間部分も生じないので、これらの部分が汚れ易かった問題点を解消でき、且つ汚れても容易に清掃でき美観に維持できる。また、トッププレートは実質的に上面をフラット形状にて提供できるので、強化耐熱ガラスなどによる成形を容易にするとともに、トッププレートのシンプルな優れた外観デザインを得ることができる誘導加熱調理器を提供できる。
【発明を実施するための最良の形態】
【０００８】
以下、本発明の一実施例を示す図１ないし図５を参照して説明する。
そのうち、図２は例えばシステムキッチンのカウンタートップ１に誘導加熱調理器を組み込んだ使用状態を示す外観斜視図、図３はかば−部材（後述する）を取除いた誘導加熱調理器単体の平面図、そして図４は特に内部の概略構成を示す縦断側面図で、まずこれら図面に基づき説明する。
誘導加熱調理器は、特に図２，４に示すようにカウンタートップ１の開口から下方に落とし込まれた矩形箱状のケース本体２と、このケース本体２の上面を覆うように装着され前記カウンタートップ１上に露呈した配置状態のトッププレート３とから構成されている。そして、前記ケース本体２内には後述する複数の加熱手段を有するとともに、その前面右側には操作パネル部４が設けられ、調理のための条件設定を操作するダイアルや表示部等を備え、また左側には図示しないシーズヒータからなる加熱手段を内蔵したロースター装置５が設けられている。
【０００９】
一方、前記トッププレート３は、例えば強化耐熱ガラス製にて平坦な矩形板状に形成されており、その上面には、例えば図２中二点鎖線で示す３箇所に、鍋６などの被加熱調理器具を加熱するに好適とする位置を示す載置部７ａ，７ｂ，７ｃが印刷等により円形枠状に表示されている。そのうち、前方左右の２箇所の載置部７ａ，７ｂは、図３に示すように加熱手段たる誘導加熱コイル８ａ，８ｂに基づき被加熱調理器具を誘導加熱可能とし、後方中央に位置する載置部７ｃは電気ヒータである、例えばコイルヒータ８ｃにより被加熱調理器具を所謂ヒータ加熱可能としている。
【００１０】
このような、上記３箇所の載置部７ａ，７ｂ，７ｃを有する所謂載置面７をはじめ、該トッププレート３の外周縁部には面取り加工した如く外方へ下降する傾斜面部３ａを形成しているが、実質的にほぼ上面全体をフラット（平坦面）に形成され、後方の左右に吸排気用の開口部９ａ，９ｂ（図３参照）を開口形成している。そして、これら開口部９ａ，９ｂは同一形状の長穴形状として両端部の角部は円滑な円弧状にして、強化耐熱ガラス製のトッププレート３の開口加工を容易にしている。尚、図２ではこれら開口部９ａ，９ｂの上面を覆うように多数の通気穴１０ａを有するカバー部材１０が着脱可能に被着されており（詳細は後述する）、図３ではこのカバー部材１０を取外した状態を示している。
【００１１】
次いで、特に図４を中心にケース本体２内の構成につき説明する。
前記トッププレート３上面の２箇所の載置部７ａ及び７ｂに対向するケース本体２の内方には、前記したように加熱手段としての前記誘導加熱コイル８ａ及び８ｂ（図３参照）がベースプレート１１を介して配設され、また後方中央の載置部７ｃに対向する位置には、図３に破線のみにて示すコイルヒータ８ｃが配設されている。そして、これら加熱手段の下方の空間には、該加熱手段を駆動し制御する駆動手段１２を装備していて、例えば前記誘導加熱コイル８ａ及び８ｂに高周波電流を供給するインバータや、マイクロコンピュータを主とする制御手段を構成する制御回路基板等を備えている。しかるに、この駆動手段１２を構成するインバータの主回路などにＩＧＢＴ等の発熱性のスイッチング素子を採用している。
【００１２】
しかして、上記駆動手段１２や誘導加熱コイル８ａ及び８ｂを冷却するための空冷手段１３を設けている。この空冷手段１３は、ファン１３ａ，ファンモータ１３ｂ（図３参照）、ファンケーシング１３ｃ等を具備してなり、この空冷手段１３による冷風が前記駆動手段１２や誘導加熱コイル８ａ，８ｂを冷却できるように冷風の通気路（詳細は後述する）が形成されている。しかるに、前記ファンケーシング１３ｃに連通し外気を取り込む吸気ダクト１４を備えており、その開口端はトッププレート３の右側の開口部９ａを介して外方を臨む位置にある。
一方、前記ファンケーシング１３ｃの吹出し側である下流側は、前記駆動手段１２及び誘導加熱コイル８ａ，８ｂが存在する閉空間Ｓ１を形成していて、該閉空間Ｓ１を前記した通気路として送風され、その冷却後の排気は排気ダクト１５の開口端（図３参照）を前記トッププレート３の左側の開口部９ｂに臨んで設けていて、外部へ排出可能としている。
【００１３】
これに対し、図３においてケース本体２の内方左側に設けた前記ロースター装置５においては、調理にて発生した煙等を排出する独立した排気手段が設けてある。以下、簡略的に述べると、例えば前記した閉空間Ｓ１とは区画形成された閉空間Ｓ２を排気用の通風路として、その先端の排気ダクト１９を前記開口部９ｂに臨ませている。従って、この左側の開口部９ｂには前記閉空間Ｓ１と連通する排気ダクト１５と、閉空間Ｓ２に連通する排気ダクト１９とが並んで設けられている。尚、このロースター装置５側の排気手段は、焼き物調理時等に発生した暖かい煙が閉空間Ｓ２から排気ダクト１９へと上昇して自然に排出される。この場合、吸気作用は特に図示しないがロースター装置５の前面側の適宜の隙間から吸入される。
【００１４】
ここで、図１に基づきトッププレート３の一方の開口部９ａ側近辺における具体構成につき詳述するが、他方の開口部９ｂ側については実質的に同様の構成につき必要に応じ述べるに止める。この図１は、図３中のＹ−Ｙ線に沿って切断して示す要部の拡大断面図で、ただ二点鎖線で示すカバー部材１０を付け加えている。
この図１に明示するように、前記カウンタートップ１の開口周縁にケース本体２の上部周縁に設けたフランジ部２ａを引っ掛けて、落とし込み時のケース本体２を支持するとともに、トッププレート３を含む最終的な組込み完了状態において、所謂誘導加熱調理器のほぼ全重量を支える構成としている。また、このケース本体２の上部には矩形枠状の支持部材１６がネジ１７にて取付固定されている。この支持部材１６は、本来的にはトッププレート３をケース本体２と連結するために介在されたもので、前記した加熱手段たる誘導加熱コイル８ａ，８ｂ及びコイルヒータ８ｃと対向する部位、及びトッププレート３の左右の開口部９ａ，９ｂに対向する部位などを切除した如き枠形状にあって、換言すればトッププレート３の外周縁部、及び上記開口部９ａ，９ｂの開口周縁部において、そのいずれも下面側に接合する枠形状をなしている。
【００１５】
そして、上記枠形状部分の全体にわたり上面を開放し下方に窪んだ例えばコ字状の凹溝１６ｃを形成している。すなわち、トッププレート３の外周縁部下面及び開口部９ａ，９ｂの各開口周縁部下面に所謂周回する凹溝１６ｃを連続して形成していて（図５も参照）、この凹溝１６ｃには接着剤１８が充填され、その上方からトッププレート３が被せられることで、その下面に接合固定され、以ってケース本体２側に連結固定される。この接着剤１８による接合と同時に、トッププレート３の外周端部とカウンタートップ１の上面との間にはパッキン２４が介在され、これを若干圧縮した状態で接合固定されることで、この外周縁部からの零れ汁などの液体の浸入を防止している。
【００１６】
これにより、トッププレート３の左右の開口部９ａ，９ｂに対し、支持部材１６の左右の開口部１６ａ，１６ｂ（図３参照）が対向配置され、ケース本体２の内外連通した構成としている。尚、上記開口部１６ａ（１６ｂ）の開口形状は、図５からも明らかなようにトッププレート３の開口部９ａの少なくとも長手方向の寸法が若干小さい矩形状に形成されている。そして、図１に示す支持部材１６の開口部１６ａは、その内方部位では前記したファンケーシング１３ｃに連通した吸気ダクト１４が連通接続され、一方該開口部１６ａの外方部位では、すなわちトッププレート３の開口部９ａ内にあっては、詳細は後述する通気口体２０が配置されていて、本実施例ではこれら吸気ダクト１４、支持部材１６、通気口体２０の３者をネジ２１により一体的に取付固定している。
【００１７】
まず、前記通気口体２０の構成につき述べると、これは金属製或は耐熱樹脂製など剛性を有し、その外形形状はトッププレート３の開口部９ａの長穴形状より若干小さくした謂わば長い浅皿容器状をなしているが、その底部は例えば前記支持部材１６の開口部１６ａと同一形状の開口部２０ａを形成している。また、その開口周りに立ち上がった開口周壁２０ｂは、ほぼ垂直に立上り前記開口部９ａ周縁たるトッププレート３の上面より上方に高く延出形成されている。
【００１８】
従って、この通気口体２０を取付固定するには、ケース本体２側に組み込まれている吸気ダクト１４の開口端のフランジ部１４ａに支持部材１６及び通気口体２０を重ね、その上方からネジ２１を螺挿して同時に締結固定する（図５も参照）。しかるに、図１に示すように通気口体２０の開口周壁２０ｂの外側面とトッププレート３の開口部９ａの内側面との間には隙間２２が形成される。この隙間２２には、接着剤２３を塗布して該部位からの水などの浸入を防止している。そして、開口周壁２０ｂをガイドに図中ニ点鎖線で示す前記カバー部材１０が着脱自在に嵌合され、該通気口体２０を塞ぐように被着されている。
【００１９】
このカバー部材１０は、前記通気口体２０と同様の外形形状をなし、多数の小孔１０ａを設けて通気性を良好とする一方、特に加熱調理時などに該通気口体２０からの異物の浸入や落下を防いでいる。そして、その外周側壁１０ｂが前記通気口体２０の開口周壁２０ｂにガイドされ、着脱可能に被着している。尚、上記支持部材１６，通気口体２０及びカバー部材１０は、吸気側の開口部９ａにおける構成及び取付手段等につき述べたが、排気側の開口部９ｂにあっては、二つの排気ダクト１５，１９が臨んで設けられている点で相違するが、実質的に上記同様の手段にて組み込まれており、その説明は省略する。
【００２０】
次に、上記構成の誘導加熱調理器の作用について説明する。
例えば、図２，３に示すようにトッププレート３上に記された載置部７ａに鍋６を載置し、特に図４に示す加熱手段の一つである誘導加熱コイル８ａをインバータなどによる駆動手段１２を介して駆動し、煮物調理を行なう場合、空冷手段１３も通電駆動され、ファン１３ａによる送風は発熱性のスイッチング素子などを有する駆動手段１２をはじめ、誘導加熱コイル８ａを冷却する。この所謂冷風の流れは、図３，４中に矢印Ａで示すように、外気がトッププレート３の右側の開口部９ａから吸気ダクト１４に取り込まれ、ファンケーシング１３ｃを経てケース本体２の閉空間Ｓ１である通風路を流れ、上記誘導加熱コイル８ａ及び駆動手段１２等を冷却した後、排気ダクト１５を経てトッププレート３の左側の開口部９ｂから外部に排出される。
【００２１】
また、ロースター装置５を利用して魚などの焼き物調理する場合は、その際に発生する煙は、図３に矢印Ｂで示すように上記閉空間Ｓ１とは別に区画された閉空間Ｓ２を流れ、そして排気ダクト１９を経てトッププレート３の開口部９ｂから排出される。このロースター装置５の排気手段は、前面側の適宜の隙間から吸気しながら暖かい排煙は上昇気流となって排出され、所謂対流作用による自然排気にて行なわれる。
【００２２】
従って、前記した誘導加熱調理とロースター調理とを同時に行なう場合も、それぞれ前述の通り独立した閉空間Ｓ１，Ｓ２による吸排気経路を経て有効に行なわれることは云うまでもない。しかも、本実施例では２個の開口部９ａ，９ｂを左右に離間して設け、一方の右側の開口部９ａを吸気用とし、他方の左側の開口部９ｂを排気用に集束したので、排気を直ちに吸気することなく円滑に行なわれる。
【００２３】
一方、トッププレート３上面に鍋６などの相当大きな荷重が加わり、該トッププレート３は弾性的に撓み変形することも多い。そして、その撓み変形は載置面７のみでなく吸排気口用の開口部９ａ，９ｂにも当然及ぶことになる。この場合、開口形状が上記した円弧状でなく鋭角な矩形の開口形状としたときには、そのコーナー部に応力が集中し且つその作用を繰り返し受けることになり早期に破損するなどの憂いを有する。これに対し、本実施例では上記した如く開口部９ａ，９ｂの開口両端部は滑らかな円弧状にしているので、応力が拡散して集中し難くいため早期に破損することなく長期使用に耐える。
【００２４】
尚、このような現象は成形加工の際にも考えられるもので、例えば耐熱ガラス材料が硬化する以前の加工可能な段階で穴あけ加工し、開口部９ａ，９ｂを形成した後の結晶化する段階で、矩形の開口形状の場合にはその鋭角なコーナー部に応力が集中し破損するおそれが生じる。従って、開口部９ａ，９ｂを円弧状とすることで上記製作時の憂いも解消でき製造ロスを低減でき、更にはトッププレート３が実質的にほぼ全面フラット（平坦面）であることも成形を容易にしている。
【００２５】
一方、実用上の使い勝手の面においては、上記したトッププレート３に煮汁などが吹き零れたり、或いはキッチンで使用する水が零れたりする場合があり、開口部９ａ，９ｂから浸入するおそれがある。ところが、本実施例では該開口部９ａ，９ｂ周縁たるトッププレート３の上面より高い開口周壁２０ｂを有する通気口体２０を設けたので、該開口周壁２０ｂにより水などの流入を阻止できる。
しかも、上記通気口体２０を取付固定する支持部材１６は、トッププレート３下面に接合され下方のケース本体２と一体的に連結する構成にあって、これを有効活用できるとともにトッププレート３の開口部９ａ，９ｂの開口周縁を下方から支持し、上記した応力が集中し易い部位を支える補強作用としても有効である。
【００２６】
斯くして、トッププレート３は実質的に全面フラットな形状にあって、開口部９ａ，９ｂもトッププレート３に直接開口形成され、且つこの吸排気用の開口部９ａ，９ｂからの水などの流入を防止できるので、従来構成のように別部材の金属製フレームを採用した場合のような面倒な接合作業を要せず、また段差部や継ぎ目が存在しないので、汚れが付着したり隙間にしみ込むことがなく美麗に維持でき、且つ清掃も容易にできるなど美麗な外観を維持できる。
【００２７】
以上説明したように、本実施例によれば次の効果を有する。
誘導加熱調理器は、ケース本体２内に加熱手段としての誘導加熱コイル８ａ，８ｂ、これを駆動するインバータなどの駆動手段１２、及びこれらを空冷する空冷手段１３を備えるとともに、この空冷手段１３の吸排気用の開口部９ａ，９ｂをトッププレート３に形成した構成において、上記開口部９ａ，９ｂには該開口部周縁より上方に突出する高さの開口周壁２０ｂを有する通気口体２０を被着して、所謂吸排気用の通気路の出入口構成とした。つまり、開口部９ａ，９ｂ内に納まる小さな通気口体２０を被着することで有効な吸排気手段を構成した。
【００２８】
従って、本実施例によれば開口部９ａ，９ｂを有するトッププレート３は単一の構成体にて提供でき、従来別部材の金属製フレームに開口部を設けてトッププレートと接合するなどの複合構成のものに比して、接合部の段差部や隙間に汚れが付着したり侵入したりすることがないので、トッププレート３の上面に対し汚れが付着し難く、且つ汚れの清掃が容易であるなどから美麗に維持できる。しかも、通常難しいと言われている強化耐熱ガラス材料による成形も、実質的に全面フラットなトッププレート３は容易に成形できることも加えて、製造組立が容易で特に従来構成のフレームを精度良く接合する大きな作業負担を回避できるので、製造コストの低減が期待できる。しかも、継ぎ目のない平坦なトッププレート３に対し、その開口部９ａ，９ｂに被着されたカバー部材１０が僅か突出した形態のシンプルな形態に整えることができ、誘導加熱調理器の上面を外観デザイン的にも優れた構成とすることができる。
【００２９】
また、強化耐熱ガラス製のトッププレート３は、その開口部９ａ，９ｂを滑らかな円弧状をなす開口形状としたことで、鍋６などの調理物を収容した被加熱調理器具の大きな荷重が加わった際、応力が集中するのを軽減できて早期に破損することを防止できる。つまり、鋭角な矩形の開口形状では、そのコーナー部に応力が集中し易く且つ破損し易いが、本実施例のように角のない円弧状開口としたので、応力が拡散して早期に破損することなく長期使用に耐える。
【００３０】
しかも、トッププレート３の外周縁及び開口部９ａ，９ｂの周縁の下面には、通気口体２０を取付固定するための支持部材１６が宛がわれるので、トッププレート３全体に対する強度上の補強効果が得られる。因みに、この支持部材１６はトッププレート３とケース本体２とを一体的に連結すべく介在されており、従って開口部９ａ，９ｂの周縁に及ぶ形状変更程度で有効活用できる。
加えて、これまで上記支持部材１６の外周縁部に形成していた接着剤１８を充填する凹溝１６ｃは、開口部９ａ，９ｂの開口周縁を周回して連続して設けたので、トッププレート３との間における水などの浸入を確実に防止できるとともに、撓みやすい開口部９ａ，９ｂを中心にトッププレート３と支持部材１６とを、より一体的に強固に結合でき大きな撓み変形や早期破損を招くことなく長期使用に耐える利点を有する。
【００３１】
また、開口部９ａ，９ｂに対し、その内方に被着された通気口体２０の開口周壁２０ｂとは全周に隙間２２を形成し、該隙間２２を利用して接着剤２３を塗布して、より水密な構成を提供するとともに、カバー部材１０の外周側壁１０ｂの進入を可能にし、従ってカバー部材１０を通気口体２０の開口周壁２０ｂをガイドとして容易に嵌合し、着脱自在に被着することができる。
【００３２】
更には、トッププレート３上面の外周縁部は、面取り加工した如く外方へ下降する傾斜面部３ａとしたので、トッププレート３の外周端部における厚み方向への急峻な立上りを抑え、鍋６などの被加熱調理器具の移動時における衝突を避け易くするとともに、衝突してもショック（衝撃）を和らげるに有効で、以って鍋６内の煮汁などを零すおそれがなくなるなど、実用上安全な取扱い性が期待できる。
また、２個の開口部９ａ，９ｂは左右に離間して形成するとともに、一方の開口部９ａには空冷手段１３の吸気用とし、他方の開口部９ｂには空冷手段１３の排気とともに、ロースター装置５の排気とを寄せ集めた排気用とに分けて使用するようにしたので、排気が直ちに吸気されるような不具合を解消でき、従って冷却性能が低下したりケース本体２内が排気で汚されるおそれはない。
【００３３】
尚、上記実施例では支持部材１６と通気口体２０とは別部材として、これらを連結する構成としたが、これに限らず支持部材１６をプレス加工により開口周壁２０ｂの如き立上り壁を形成することも可能で、この場合、部品点数や組立工数を減らすことができ、一層作業性が向上する。その他、支持部材１６に形成したコ字状の凹溝１６ｃも、Ｖ字状でもよいなど、接着剤を充填できる溝形状であればよい。
【００３４】
上記実施例に対し、図６は変形例を示す図１相当図で、以下、上記実施例と同一部分には同一符号を付して説明を省略し、異なる部分についてのみ説明する。
このものは、上記実施例では通気口体２０が剛性であったのに対し、この変形例ではゴム等の弾性材料にて形成された通気口体２５とする点で異なり、他の構成は共通とするものである。しかるに、この通気口体２５は、上記実施例と同様に底部に開口部２５ａ、及びその周りに開口周壁２５ｂを形成しているが、弾性材料の特徴を活かした取付手段を採用している。すなわち、支持部材１６への取付固定に際しネジ２０により確実に締結する点は同じであるが、トッププレート３の開口部９ａの内側に圧接するように挿入され、且つ下面側に接着剤２６を塗布して水の浸入防止と固定手段とを兼ねた構成としている。
【００３５】
また、前記開口周壁２５ｂは、全周非対称のＵ字状に形成されてＵ字状の溝部２７を有し、該開口周壁２５ｂのＵ字状を構成する内壁部はトッププレート３上面より上方に突出する高さに設定してあるのに対し、外壁部はほぼ同一高さに設定してある。そして、このＵ字状の溝部２７をガイドに前記カバー部材１０が弾性的に差し込まれて固定され、所謂着脱自在に被着される。
【００３６】
斯かる構成によれば、上記実施例と実質的に共通の作用効果が得られるとともに、特に通気口体２５が弾性を有するため、カバー部材１０の微振動音を防止でき、且つ開口部９ａ部分における防水構造としても好適する。また、開口壁部２５ｂの外壁部をトッププレート３の上面までの高さとしていることと相俟って、上記カバー部材１０を被着することで当該通気口体２５自体が目立たなくなり、上記実施例同様にほぼ全面フラットなトッププレート３に対し、カバー部材１０のみが僅か突出するシンプルで良好な外観デザインを維持できる。
【００３７】
尚、本発明は上記し且つ図面に示した実施例に限定されず、例えばケース本体内に設けた空冷手段や吸排気手段の風路構成は他に種々考えられ、またトッププレートはセラミック製としてもよいことはもとより、２個の開口部は１個として更に長い長穴状としてもよく、勿論カバー部材も１個でもよい。その他、開口部を周回する凹溝は、僅かの切断箇所があっても実質的に同様の作用効果が得られればよいなど、実施に際して本発明の要旨を逸脱しない範囲内で種々変更して実施できる。
【図面の簡単な説明】
【００３８】
【図１】本発明の一実施例を示す図３中のＹ−Ｙ線に沿って切断して示す要部の拡大断面図
【図２】誘導加熱調理器がキッチンに組み込まれた使用状態を示す外観斜視図
【図３】誘導加熱調理器のカバー部材を取除いた状態の平面図
【図４】誘導加熱調理器の概略構成を示す縦断側面図
【図５】要部の拡大平面図
【図６】変形例を示す図１相当図
【符号の説明】
【００３９】
図中、２はケース本体、３はトッププレート、６は鍋（被加熱調理器具）、８ａ，８ｂは誘導加熱コイル（加熱手段）、９ａ，９ｂは開口部、１０はカバー部材、１２は駆動手段、１３は空冷手段、１４は吸気ダクト、１５，１９は排気ダクト、１６は支持部材、１６ｃは凹溝、１８，２３，２６は接着剤、２０，２５は通気口体、２０ｂ，２５ｂは開口周壁、及び２７は溝部を示す。
【図１】
2007134070.tif 000003
【図２】
2007134070.tif 000004
【図３】
2007134070.tif 000005
【図４】
2007134070.tif 000006
【図５】
2007134070.tif 000007
【図６】
2007134070.tif 000008